(57)【要約】      （修正有）【課題】絶縁カバーが不正な方向でバスバプレートに固定されることを防止したバスバモジュール、および、該バスバモジュールを備えた電源装置を提供する。【解決手段】バスバモジュール３に備えられたバスバ収容部材２０には、第一係止部２５と第二係止部２６とが設けられ、前記第一係止部２５には、前記カバー部材の平面方向に対して略平行する方向に突出された第一係止突起と、該第一係止突起に対向する第一壁部と、が設けられ、前記第二係止部２６には、前記カバー部材の平面方向に対して略平行する方向に突出された第二係止突起と、該第二係止突起に対向する第二壁部と、が設けられ、前記第一係止突起と前記第一壁部とは、第二係止片の先端部が挿通されない間隔で設けられているとともに第一係止片の先端部が挿通される間隔で設けられ、かつ、前記第二係止突起と前記第二壁部とは、第二係止片の先端部が挿通される間隔で設けられている。【選択図】図３
2012243608.tif 000002
【特許請求の範囲】
【請求項１】
複数の電池が一方向に重ねられた電池集合体の互いに隣り合う一つの電池の正の電極と該電池集合体の互いに隣り合う他の電池の負の電極とに直列に接続される複数のバスバと、前記複数のバスバが収容されるバスバ収容部材と、前記バスバ収容部材を覆うカバー部材と、を備えたバスバモジュールにおいて、
前記バスバ収容部材には、第一係止部と第二係止部とが設けられ、
前記カバー部材には、前記第一係止部に係止される第一係止片と、前記第二係止部に係止される第二係止片と、が設けられ、
前記第一係止片は、前記カバー部材の平面方向に対して略直交する方向に延長して枠形状に形成され、
前記第二係止片は、前記カバー部材の平面方向に対して略直交する方向に延長して枠形状に形成され且つ先端部が厚肉に形成され、
前記第一係止部には、前記カバー部材の平面方向に対して略平行する方向に突出された第一係止突起と、該第一係止突起に対向する第一壁部と、が設けられ、
前記第二係止部には、前記カバー部材の平面方向に対して略平行する方向に突出された第二係止突起と、該第二係止突起に対向する第二壁部と、が設けられ、
前記第一係止突起と前記第一壁部とは、前記第二係止片の先端部が挿通されない間隔で設けられているとともに前記第一係止片の先端部が挿通される間隔で設けられ、かつ、
前記第二係止突起と前記第二壁部とは、前記第二係止片の先端部が挿通される間隔で設けられていることを特徴とするバスバモジュール。
【請求項２】
複数の電池が一方向に重ねられて構成された電池集合体と、前記電池集合体に取り付けられ該電池集合体の複数の電池を直列に接続するバスバモジュールと、を備えた電源装置において、
前記バスバモジュールとして、請求項１に記載のバスバモジュールを備えていることを特徴とする電源装置。
【発明の詳細な説明】
【技術分野】
【０００１】
本発明は、ハイブリッド自動車や電気自動車などに用いられる電源装置のバスバモジュールおよび該バスバモジュールを備えた電源装置に関する。
【背景技術】
【０００２】
電動モータを用いて走行する電気自動車や、エンジンと電動モータとを併用して走行するハイブリッド自動車などには、前記電動モータの駆動源としての電源装置が搭載されている。
【０００３】
電源装置は、一端に正の電極と他端に負の電極とが設けられた複数の電池から構成される電池集合体を備え、所望の電圧を得るために前記複数の電池は直列に接続されている。これら複数の電池は、正の電極と負の電極とが互いに隣り合う状態で、一方向に沿って並べられている。
【０００４】
前述した電源装置は、電池集合体の互いに隣り合う各電池の正の電極と負の電極とを接続部材によって接続して、前記電池集合体の複数の電池を直列に接続するバスバモジュールを備えている（例えば、特許文献１参照。）。前述した特許文献１に記載のバスバモジュールは、絶縁性の合成樹脂で構成されたバスバプレートと、前記バスバプレートに収容されて互いに隣り合う電池の電極同士を接続するバスバと、前記バスバの電力を電動モータ等に供給する電線と、前記バスバプレートを覆う絶縁性の合成樹脂で構成された絶縁カバーと、を備えている。
【０００５】
前記バスバプレートには、前記絶縁カバーの平面方向に突出された係合突起が設けられ、前記絶縁カバーには、可撓性を有して該絶縁カバーの平面方向に対して略直交して延長され且つ枠形状に形成された係止片が設けられており、前記係止片と前記係合突起とが互いに係合して前記絶縁カバーを前記バスバプレートに固定している。
前記係合突起
【先行技術文献】
【特許文献】
【０００６】
【特許文献１】特開２０１１−６０６７５号公報
【発明の概要】
【発明が解決しようとする課題】
【０００７】
しかしながら、前記した特許文献１に示された電源装置は、絶縁カバーが不正な方向でバスバプレートに取り付けられた場合であっても、前記絶縁カバーの係止片が弾性変形して前記バスバプレートの係合突起と係合するため、前記絶縁カバーが不正な方向で前記バスバプレートに固定されてしまうという問題があった。
【０００８】
また、特許文献１に示された電源装置は、絶縁カバーが不正な方向でバスバプレートに取り付けられた場合であっても、前記絶縁カバーの係止片が弾性変形して前記バスバプレートの係合突起と係合するため、前記係止片と前記係合突起とが適正な係合状態であるか不正な係合状態であるかを作業員が判別しにくいという問題があった。
【０００９】
また、特許文献１に示された電源装置は、係止片と係合突起とが適正な係合状態であるか不正な係合状態であるかを作業員が判別しにくいため、絶縁カバーが不正な方向でバスバプレートに固定された電源装置が製品として出荷される虞があるという問題があった。
【００１０】
そして、絶縁カバーが不正な方向でバスバプレートに取り付けられた場合には、周辺部品との干渉、高電圧部の露出および異音の発生などの不具合を生じる虞があるという問題があった。
【００１１】
本発明は、かかる問題を解決することを目的としている。即ち、本発明は、絶縁カバーが不正な方向でバスバプレートに固定されることを防止したバスバモジュール、および、該バスバモジュールを備えた電源装置を提供することを目的とする。
【課題を解決するための手段】
【００１２】
前記課題を解決し目的を達成するために、請求項１に記載された発明は、複数の電池が一方向に重ねられた電池集合体の互いに隣り合う一つの電池の正の電極と該電池集合体の互いに隣り合う他の電池の負の電極とに直列に接続される複数のバスバと、前記複数のバスバが収容されるバスバ収容部材と、前記バスバ収容部材を覆うカバー部材と、を備えたバスバモジュールにおいて、前記バスバ収容部材には、第一係止部と第二係止部とが設けられ、前記カバー部材には、前記第一係止部に係止される第一係止片と、前記第二係止部に係止される第二係止片と、が設けられ、前記第一係止片は、前記カバー部材の平面方向に対して略直交する方向に延長して枠形状に形成され、前記第二係止片は、前記カバー部材の平面方向に対して略直交する方向に延長して枠形状に形成され且つ先端部が厚肉に形成され、前記第一係止部には、前記カバー部材の平面方向に対して略平行する方向に突出された第一係止突起と、該第一係止突起に対向する第一壁部と、が設けられ、前記第二係止部には、前記カバー部材の平面方向に対して略平行する方向に突出された第二係止突起と、該第二係止突起に対向する第二壁部と、が設けられ、前記第一係止突起と前記第一壁部とは、前記第二係止片の先端部が挿通されない間隔で設けられているとともに前記第一係止片の先端部が挿通される間隔で設けられ、かつ、前記第二係止突起と前記第二壁部とは、前記第二係止片の先端部が挿通される間隔で設けられていることを特徴とするバスバモジュールである。
【００１３】
請求項２に記載された発明は、複数の電池が一方向に重ねられて構成された電池集合体と、前記電池集合体に取り付けられ該電池集合体の複数の電池を直列に接続するバスバモジュールと、を備えた電源装置において、前記バスバモジュールとして、請求項１に記載のバスバモジュールを備えていることを特徴とする電源装置である。
【発明の効果】
【００１４】
請求項１に記載された発明によれば、バスバモジュールは、カバー部材に設けられ且つ第一係止突起と係合される第一係止片と前記カバー部材に設けられて先端部が厚肉に形成され且つ第二係止突起と係合される第二係止片と、前記第二係止片の先端部が挿通されない間隔かつ前記第一係止片の先端部が挿通される間隔でバスバ収容部材に設けられた第一係止突起と第一壁部と、前記第二係止片の先端部が挿通される間隔で前記バスバ収容部材に設けられた第二係止突起と第二壁部と、を備えているため、カバー部材が不正な方向で前記バスバ収容部材に取り付けられた際には、第一係止片と第二係止突起とが対向するとともに第二係止片と第一係止突起とが対向する。このため、第一係止突起と第一壁部との間に第二係止片の先端部を挿通することができなくなるため、前記第二係止片と前記第一係止突起とが係合するのを防止できる。よって、カバー部材が不正な方向でバスバ収容部材に固定されることを防止することができる。
【００１５】
また、バスバモジュールは、カバー部材が不正な方向でバスバ収容部材に固定されることを防止することができるため、前記カバー部材と前記バスバ収容部材とが適正に係合されたことを作業員が容易に判別することができる。
【００１６】
また、バスバモジュールは、カバー部材とバスバ収容部材とが適正に係合されたことを作業員が容易に判別することができるため、カバー部材が不正な方向でバスバプレートに固定された電源装置が製品として出荷されるのを防止することができる。
【００１７】
よって、バスバモジュールは、カバー部材が不正な方向でバスバ収容部材に取り付けられた場合の周辺部品との干渉、高電圧部の露出および異音の発生などの不具合の発生を防止することができる。
【００１８】
請求項２に記載された発明によれば、電源装置は、前述した請求項１に記載のバスバモジュールを備えているため、カバー部材が不正な方向でバスバ収容部材に固定されることを防止することができる。
【００１９】
また、電源装置は、カバー部材が不正な方向でバスバ収容部材に固定されることを防止することができるため、前記カバー部材と前記バスバ収容部材とが適正に係合されたことを作業員が容易に判別することができる。
【００２０】
また、電源装置は、カバー部材とバスバ収容部材とが適正に係合されたことを作業員が容易に判別することができるため、カバー部材が不正な方向でバスバプレートに固定された電源装置が製品として出荷されるのを防止することができる。
【００２１】
よって、電源装置は、カバー部材が不正な方向でバスバ収容部材に取り付けられた場合の周辺部品との干渉、高電圧部の露出および異音の発生などの不具合の発生を防止することができる。
【図面の簡単な説明】
【００２２】
【図１】本発明の一実施形態にかかる電源装置の平面図である。
【図２】図１に示す電源装置の分解斜視図である。
【図３】図２に示すバスバモジュールの平面図である。
【図４】図２に示すバスバモジュールの絶縁カバーの裏面の要部拡大斜視図である。
【図５】図３に示すバスバモジュールの第一係止部を示す要部拡大斜視図である。
【図６】図３に示すバスバモジュールの第二係止部を示す要部拡大斜視図である。
【図７】絶縁カバーとバスバプレートとが適正に固定された状態を示す図である。（Ａ）は第一係止片と第一係止部とが適正に係合された状態を示す要部拡大断面図、（Ｂ）は第二係止片と第二係止部とが適正に係合された状態を示す要部拡大断面図である。
【図８】絶縁カバーとバスバプレートとを不正に組み付けようとした状態を示す図である。
【発明を実施するための形態】
【００２３】
以下、本発明の実施形態について、図１〜図９を参照して説明する。
【００２４】
本発明の一実施形態にかかる電源装置１は、図１および図２に示すように、電池集合体２と、前記電池集合体２の上面に取り付けられるバスバモジュール３と、を備えている。バスバモジュール３には、該バスバモジュール３を覆うカバー部材としての絶縁カバー４が設けられている。電池集合体２は、複数の電池５と、これらの複数の電池５を一方向Ｘに互いに重ねて固定する固定部材６と、を備えている。
【００２５】
複数の電池５は、それぞれ、長方体状に形成された電池本体と、正の電極（以下、正極と記す）８と、負の電極（以下、負極と記す）９と、を備えている。正極８は、電池本体の上面の一端に設けられている。負極９は、電池本体の上面の他端に設けられている。正極８と負極９とは、導電性の金属で構成され、かつ、ナット８１が螺合される円柱状に形成されている。正極８と負極９とは、電池本体の上面に互いに間隔を空けて平行に設けられている。
【００２６】
複数の電池５は、前記正極８と負極９とが設けられた上面が互いに略同一平面上に位置する状態で、互いに隣り合う電池５同士の前記正極８と前記負極９とが互いに隣り合うように、一方向Ｘに沿って並べられている。即ち、複数の電池５は、正極８と負極９とが交互に逆向きとなる状態で重ねられている。なお、以下、本明細書では、前述した方向Ｘは複数の電池５同士が重ねられた方向と記し、前記上面に平行で且つ重ねられた方向Ｘに対して直交する方向を幅方向Ｚと記し、前記重ねられた方向Ｘと幅方向Ｚとの双方に対して直交する方向を高さ方向Ｙと記す。なお、本実施形態では、電池５は、２８個設けられている。
【００２７】
固定部材６は、一対のエンドプレート１２と、拘束バンド１１と、を備えている。一対のエンドプレート１２は、それぞれ、絶縁性の材料からなり且つ長方体状に形成されている。一対のエンドプレート１２は、互いの間に前述した複数の電池５を挟む格好で、電池集合体２の複数の電池５同士の重ねられた方向Ｘの両端部のそれぞれに配されている。
【００２８】
拘束バンド１１は、絶縁性の材料からなり且つ帯板状に形成されている。拘束バンド１１は、複数（図示例では２つ）設けられており、電池集合体２の複数の電池５の上面に配されている。複数の拘束バンド１１は、複数の電池５同士の重ねられた方向Ｘと平行に配されると共に、複数の電池５同士の重ねられた方向Ｘと直交する方向に互いに間隔を空けて設けられている。
【００２９】
前述した構成の固定部材６は、一対のエンドプレート１２の間に前述した複数の電池５を挟み、複数の拘束バンド１１の各々の長手方向の両端部がそれぞれナット等で各エンドプレート１２と固定され、複数の電池５を束ねて一体化して保持する。
【００３０】
バスバモジュール３は、バスバ収容部材としてのバスバプレート２０と、前記バスバプレート２０に収容される複数のバスバ３０と、前記バスバプレート２０に収容され前記複数のバスバ３０の各々に接続される電線５１と、前記バスバプレート２０を覆う絶縁カバー４と、を備えている。
【００３１】
バスバプレート２０は、ポリプロピレン樹脂などの絶縁性の合成樹脂で構成されている。バスバプレート２０は、前述した重ねられた方向Ｘに沿って直線状に延在しており、電池集合体２の上面に設けられている。バスバプレート２０は、バスバ収容部２１と、電線収容部２２と、電線接続部収容部２３と、を備えている。
【００３２】
バスバ収容部２１は、前記重ねられた方向Ｘに沿って並べられ且つ枠状に形成されている。バスバ収容部２１は、前記バスバ３０が嵌め込まれる形状に形成されている。バスバ収容部２１は、前記重ねられた方向Ｘに沿って並べられるバスバ３０と同数の２８個設けられているバスバ収容部２１は、その内側の平面形状が、バスバ３０の平面形状と略等しい矩形状に形成されている。バスバ収容部２１は、それぞれ、バスバ３０を一つ収容する。バスバ収容部２１には、それぞれ、バスバ３０の電線接続部３５を収容する電線接続部収容部２３が連設されている。複数（図示例では、８箇所）のバスバ収容部２１には、図３、図６および図７に示すように、該バスバ収容部２１の外周面に、後述する絶縁カバー４の第一係止片６１に係止される第一係止部２５と、前記絶縁カバー４の第二係止片６２に係止される第二係止部２６と、が設けられている。
【００３３】
電線収容部２２は、図１ないし図３に示すように、前記電池集合体２の幅方向の両端側で且つ前記バスバ収容部２１に沿って前記重ねられた方向Ｘに沿って直線状に設けられている。電線収容部２２は、前記各々のバスバ収容部２１に連設され前記各々のバスバ３０に接続された複数本の電線５２が挿通される樋形状に形成されている。
【００３４】
電線接続部収容部２３は、前記各々のバスバ収容部２１と前記電線収容部２２とに連設して設けられている。電線接続部収容部２３は、前記バスバ３０の電線接続部３５が収容される幅にスリット状に形成されている。
【００３５】
第一係止部２５は、図３に示すように、前記バスバプレート２０の幅方向Ｚの一方側のバスバ収容部２１に設けられ且つ該バスバプレート２０の幅方向Ｚの中央側の外周面に設けられている。第一係止部２５は、本実施形態においては、４箇所設けられている。第一係止部２５は、図６に示すように、前記バスバ収容部２１の外周面から前記幅方向Ｚに対して平行する方向に突出された第一係止突起４３と、該第一係止突起４３に対向して設けられ且つ前記重ねられた方向Ｘに対して直交する方向Ｙに延長された第一壁部４４と、を備えている。
【００３６】
第一係止突起４３は、前記絶縁カバー４の平面方向に対して平行する方向Ｚに突出して形成されている。第一係止突起４３は、高さ方向Ｙに沿って前記絶縁カバー４側に向かって徐々に突出量が減少するテーパ面が設けられ、断面三角形状に形成されている。
【００３７】
第一壁部４４は、重ねられた方向Ｘの両端部が直交する方向Ｙに延長されて前記バスバ収容部２１の外周面に一体化され、平面視コ字形状に形成されている。第一壁部４４は、可撓性を有して弾性変形可能な肉厚に形成されている。
【００３８】
第一係止突起４３と第一壁部４４とは、幅方向Ｚに対して平行する間隙ｈ１が設けられている。間隙ｈ１は、後述する第一係止片６１（図５に示す）の横架部６５が挿通可能な間隔かつ第二係止片６２の厚肉部７２が挿通不可となる間隔で設けられている。第二係止片６２の厚肉部７２の肉厚は、後述するように、第一係止片６１の横架部６５よりも厚肉に形成されている。なお、本発明でいう、厚肉部７２が挿通不可となる間隔とは、第二係止片６２を第一係止部２５に向かって押圧した際に、前記厚肉部７２が第一係止突起４３と第一壁部４４の縁端部とに当接して、該第一突起４３と該第一壁部４４との間に前記厚肉部７２を挿通することができない間隔をいう。即ち、厚肉部７２の肉厚が、第一係止突起４３と第一壁部４４との間隔よりも大きくなることをいう。また、横架部６５が挿通可能となる間隔とは、第一係止突起４３と第一壁部４４との間隔が、横架部６５の肉厚以上とされていることをいう。
【００３９】
第二係止部２６は、図３に示すように、前記バスバプレート２０の幅方向Ｚの他方側のバスバ収容部２１に設けられ且つ該バスバプレート２０の幅方向の中央側の外周面に設けられている。第二係止部２６は、本実施形態においては、４箇所設けられている。第二係止部２６は、図７に示すように、前記バスバ収容部２１の外周面から前記幅方向Ｚに対して平行する方向に突出された第二係止突起４６と、該第二係止突起４６に対向して設けられ且つ前記重ねられた方向Ｘに対して直交する方向Ｙに延長された第二壁部４７と、を備えている。
【００４０】
第二係止突起４６は、前記絶縁カバー４の平面方向に対して平行する方向Ｚに突出して形成されている。第二係止突起４６は、高さ方向Ｙに沿って前記絶縁カバー４側に向かって徐々に突出量が減少するテーパ面が設けられ、断面三角形状に形成されている。
【００４１】
第二壁部４７は、重ねられた方向Ｘの両端部が直交する方向Ｙに延長されて前記バスバ収容部２１の外周面に一体化され、平面視コ字形状に形成されている。第二壁部４７は、可撓性を有して弾性変形可能な肉厚に形成されている。
【００４２】
第二係止突起４６と第二壁部４７とは、幅方向Ｚに対して平行する間隙ｈ２に形成されている。間隙ｈ２は、第二係止片６２の厚肉部７２が挿通可能となる間隔で設けられている。なお、本発明でいう、厚肉部７２が挿通可能となる間隔とは、第二係止突起４６と第二壁部４７との間隔が、厚肉部７２の肉厚以上となることをいう。
【００４３】
電線５１は、図２に示すように、前記電池集合体２の幅方向Ｚの両端側に設けられた前記電線収容部２２に収容される電線５２と、前記電池集合体２の幅方向Ｚの中央側で且つ該電池集合体２の重ねられた方向Ｘに沿って直線状に設けられる電線５３と、を備えている。電線５１は、導電性の芯線と、絶縁性の被覆部とを備え、断面円形状に形成された所謂被覆電線とされている。芯線は、複数本の導線が撚られて形成されている。導線は、銅や銅合金等の導電性の金属からなる。被覆部は、ポリ塩化ビニル樹脂やポリエチレン樹脂などからなり、前記芯線の外周面に設けられ該芯線を被覆している。このため、電線の外表面は、前記被覆部の外表面となっている。なお、芯線は、一本の導線から構成されても良い。複数の電線５１は、図示しない電圧検出回路に接続されている。電線５１は、前記自動車のモータに接続されて、該モータに走行用の電力を供給する。
【００４４】
絶縁カバー４は、図２および図５に示すように、複数枚（図示例では、２枚）のカバー本体部１５を備えている。絶縁カバー４は、ポリプロピレン樹脂などの絶縁性の合成樹脂から構成されている。
【００４５】
カバー本体部１５は、長方形状の薄板状に形成されている。カバー本体部１５には、図５に示すように、該カバー本体部１５の平面方向に対して平行する方向Ｚの一方側に設けられた第一係止片６１と、前記カバー本体部１５の平面方向に対して平行する方向Ｚの他方側に設けられた第二係止片６２と、前記カバー本体部１５の平面方向に対して平行する方向Ｚの中央側に設けられた位置決め孔１７，１８と、を備えている。
【００４６】
第一係止片６１は、前記カバー本体部１５の平面方向に対して平行する方向（重ねられた方向Ｘ）に間隔をあけて複数（図示例では、２箇所）設けられている。第一係止片６１は、前記カバー本体部１５の平面方向に対して直交する方向Ｙに延長されて形成されているとともに該カバー本体部１５の前記平面方向に対して平行する方向（重ねられた方向Ｘ）に延長されて設けられている。第一係止片６１は、前記カバー本体部１５の前記平面方向に対して平行する方向（重ねられた方向Ｘ）に互いに間隔をあけて設けられた立設部６４，６４と、該立設部６４，６４に横架された横架部６５と、を備えている。立設部６４，６４と横架部６５とは一体的に形成され、同じ肉厚に形成されている。第一係止片６１が設けられたカバー本体部１５には、前記第一係止片６１を金型で成形するための型抜き孔６７が開孔されている。
【００４７】
第二係止片６２は、前記カバー本体部１５の平面方向に対して平行する方向（重ねられた方向Ｘ）に間隔をあけて複数（図示例では、２箇所）設けられている。第二係止片６２は、前記カバー本体部１５の平面方向に対して直交する方向Ｙに延長されて形成されているとともに該カバー本体部１５の前記平面方向に対して平行する方向（重ねられた方向Ｘ）に延長されて設けられている。第二係止片６２は、前記カバー本体部１５の前記平面方向に対して平行する方向（重ねられた方向Ｘ）に互いに間隔をあけて設けられた立設部７１，７１と、該立設部７１，７１に横架された厚肉部７２と、を備えている。立設部７１，７１と厚肉部７２とは一体的に形成され、厚肉部７２が前記カバー本体部１５の平面方向に対して平行する方向Ｚに膨出されている。
【００４８】
厚肉部７２は、前記立設部７１，７１の肉厚の２倍程度の厚肉に形成されている。厚肉部７２は、前述した第一係止部２５の第一係止突起４３と第一壁部４４との間隙ｈ１の３倍程度の肉厚に形成されている。
【００４９】
位置決め孔１７，１８は、前記カバー本体部１５の前記平面方向に対して平行する方向（重ねられた方向Ｘ）に間隔をあけて複数（図示例では、２箇所）設けられている。位置決め孔１７，１８は、前記バスバプレート２０に設けられた図示しない位置決め突起と位置合わせされる。
【００５０】
位置決め孔１７，１８で位置決めされた絶縁カバー４をバスバプレート２０側に押し込んで、絶縁カバー４をバスバプレート２０に固定する。このとき、図８に示すように、絶縁カバー４の第一係止片６１の横架部６５がバスバプレート２０の第一係止部２５の第一係止突起４３と係合するとともに、第二係止片６２の厚肉部７２が第二係止部２６の第二係止突起４６と係合する。
【００５１】
なお、絶縁カバー４の組み付け方向が不正な場合には、図９に示すように、第二係止片６２と第一係止部２５とが対向して、厚肉部７２が第一係止突起４３と第一壁部４４の縁端部とに当接するため、絶縁カバー４をバスバプレート２０側に押し込んだとしても、絶縁カバー４をバスバプレート２０に固定できない。よって、絶縁カバー４が不正取付されたことを作業員が識別できる。
【００５２】
こうして組み立てられたバスバプレート２０を、電池集合体２の上面の幅方向Ｚの両端部に重ねると共に、バスバ３０のバスバ孔３４，４１内に互いに隣り合う電池５の一方の電池５の正極８と他方の電池の負極９とを挿通し、図２に示すように、前記正極８と前記負極９にナット８１をねじ込む。こうして、各バスバ３０を電池集合体２に固定することで、バスバモジュール３を電池集合体２に取り付ける。
【００５３】
前述のように、バスバ３０および電線５１が取り付けられたバスバプレート２０、即ちバスバモジュール３の全体が電池集合体２に重ねられて該電池集合体２に取り付けられることで、電源装置１が組み立てられる。
【００５４】
本実施形態によれば、バスバモジュール３は、バスバプレート２０には、第一係止部２５と第二係止部２６とが設けられ、前記絶縁カバー４には、前記第一係止部２５に係止される第一係止片６１と、前記第二係止部２６に係止される第二係止片６２と、が設けられ、前記第一係止片６１は、前記絶縁カバー４の平面方向に対して略直交する方向Ｙに延長して枠形状に形成され、前記第二係止片６２は、前記絶縁カバー４の平面方向に対して略直交する方向Ｙに延長して枠形状に形成され且つ先端部が厚肉に形成され、前記第一係止部２５には、前記絶縁カバーの平面方向に対して略平行する方向Ｚに突出された第一係止突起４３と、該第一係止突起４３に対向する第一壁部４４と、が設けられ、前記第二係止部２６には、前記絶縁カバー４の平面方向に対して略平行する方向Ｚに突出された第二係止突起４６と、該第二係止突起４６に対向する第二壁部４７と、が設けられ、前記第一係止突起４３と前記第一壁部４４とは、前記第二係止片６２の先端部が挿通されない間隔ｈ１で設けられているとともに前記第一係止片６１の先端部が挿通される間隔ｈ１で設けられ、かつ、前記第二係止突起４６と前記第二壁部４７とは、前記第二係止片６２の先端部が挿通される間隔ｈ２で設けられている。
【００５５】
このため、バスバモジュール３は、絶縁カバー４が不正な方向で前記バスバプレート２０に取り付けられた際には、第一係止片６１と第二係止突起４６とが対向するとともに第二係止片６２と第一係止突起４３とが対向する。このため、第一係止突起４３と第一壁部４４との間に第二係止片６２の先端部を挿通することができなくなるため、前記第二係止片６２と前記第一係止突起４３とが係合するのを防止できる。よって、絶縁カバー４が不正な方向でバスバプレート２０に固定されることを防止することができる。
【００５６】
また、バスバモジュール３は、絶縁カバー４が不正な方向でバスバプレート２０に固定されることを防止することができるため、前記絶縁カバー４と前記バスバプレート２０とが適正に係合されたことを作業員が容易に判別することができる。
【００５７】
また、バスバモジュール３は、絶縁カバー４とバスバプレート２０とが適正に係合されたことを作業員が容易に判別することができるため、絶縁カバー４が不正な方向でバスバプレート２０に固定された電源装置が製品として出荷されるのを防止することができる。
【００５８】
よって、バスバモジュール３は、絶縁カバー４が不正な方向でバスバプレート２０に取り付けられた場合の周辺部品との干渉、高電圧部の露出および異音の発生などの不具合の発生を防止することができる。
【００５９】
そして、電源装置１は、前述した構成のバスバモジュール３を備えているため、絶縁カバー４が不正な方向でバスバプレート２０に固定されることを防止することができる。
【００６０】
また、電源装置１は、絶縁カバー４が不正な方向でバスバプレート２０に固定されることを防止することができるため、前記絶縁カバー４と前記バスバプレート２０とが適正に係合されたことを作業員が容易に判別することができる。
【００６１】
また、電源装置１は、絶縁カバー４とバスバプレート２０とが適正に係合されたことを作業員が容易に判別することができるため、絶縁カバー４が不正な方向でバスバプレート２０に固定された電源装置１が製品として出荷されるのを防止することができる。
【００６２】
よって、電源装置１は、絶縁カバー４が不正な方向でバスバプレート２０に取り付けられた場合の周辺部品との干渉、高電圧部の露出および異音の発生などの不具合の発生を防止することができる。
【００６３】
なお、前述した実施形態は本発明の代表的な形態を示したに過ぎず、本発明は、実施形態に限定されるものではない。即ち、本発明の骨子を逸脱しない範囲で種々変形して実施することができる。
【符号の説明】
【００６４】
１  電源装置
２  電池集合体
３  バスバモジュール
４  絶縁カバー（カバー部材）
５  電池
８  正極（正の電極）
９  負極（負の電極）
１５  カバー本体部
２０  バスバプレート（バスバ収容部材）
２５  第一係止部
２６  第二係止部
３０  バスバ
４３  第一係止突起
４４  第一壁部
４６  第二係止突起
４７  第二壁部
６１  第一係止片
６２  第二係止片
Ｘ  一方向、重ねられた方向
Ｙ  高さ方向、直交する方向
Ｚ  幅方向、平行する方向
ｈ１，ｈ２  間隙
【図１】
2012243608.tif 000003
【図２】
2012243608.tif 000004
【図３】
2012243608.tif 000005
【図４】
2012243608.tif 000006
【図５】
2012243608.tif 000007
【図６】
2012243608.tif 000008
【図７】
2012243608.tif 000009
【図８】
2012243608.tif 000010